(57)【要約】【課題】乾燥初期の乾燥用空気温度の立ち上がりを良好にする。【解決手段】空気循環路９に送風する送風機７と、ヒートポンプ装置６と、乾燥用空気の一部を空気循環路９から排出する排気口１１と、外気を空気循環路９に導入する吸気口１０と、吸気口１０を開閉する開閉弁１４と、蒸発器４を通過後の乾燥用空気の温度を検知する乾燥用空気温度検知手段１２と、吸気口１０から吸気する外気温度を検知する外気温度検知手段１５と、開閉弁１４の駆動を制御する制御手段１６とを備え、制御手段１６は、乾燥運転初期において、外気温度検知手段１５で検知した外気温度が、蒸発器４を通過後の乾燥用空気温度より高い場合は、開閉弁１４を開き吸気口１０から空気循環路９に外気を導入するようにしたものである。【選択図】図１
2014161525.tif 000002
【特許請求の範囲】
【請求項１】
衣類を収容する乾燥室と、
前記乾燥室から排出された乾燥用空気を前記乾燥室へ循環させる空気循環路と、
前記空気循環路に送風する送風機と、
圧縮機、凝縮器、絞り手段、蒸発器を冷媒が循環する冷媒管で連結したヒートポンプ装置と、
前記乾燥室を出た乾燥用空気が前記蒸発器に至るまでの前記空気循環路に設けられ、乾燥用空気の一部を前記空気循環路から排出する排気口と、
前記蒸発器を出た乾燥用空気が前記凝縮器に至るまでの前記空気循環路に設けられ、外気を前記空気循環路に導入する吸気口と、
前記吸気口を開閉する開閉弁と、
前記蒸発器を通過後の乾燥用空気の温度を検知する乾燥用空気温度検知手段と、
前記吸気口から吸気する外気温度を検知する外気温度検知手段と、
前記開閉弁の駆動を制御する制御手段とを備え、
前記制御手段は、
乾燥運転初期において、前記外気温度検知手段で検知した外気温度が、前記蒸発器を通過後の乾燥用空気温度より高い場合は、前記開閉弁を開き前記吸気口から前記空気循環路に外気を導入するようにした衣類乾燥機。
【請求項２】
前記吸気口は、
筐体内に開口した第１の吸気口と、
前記第１の吸気口を開閉する第１の開閉弁と、
前記第１の吸気口から吸気する外気温度を検知する第１の外気温度検知手段と、
筐体外に開口した第２の吸気口と、
前記第２の吸気口を開閉する第２の開閉弁と、
前記第２の吸気口から吸気する外気温度を検知する第２の外気温度検知手段を設け、
前記第１の吸気口からの吸気と前記第２の吸気口からの吸気を切り替え可能に構成した請求項１に記載の衣類乾燥機。
【請求項３】
前記乾燥用空気温度検知手段で検知した温度をＫａ、
前記第１の外気温度検知手段で検知した温度をＫ１、
前記第２の外気温度検知手段で検知した温度をＫ２としたとき、
前記制御手段は、「Ｋ１＞Ｋａ＞Ｋ２」、または、「Ｋ１＞Ｋ２＞Ｋａ」の場合は、前記第１の開閉弁を開放し前記第２の開閉弁を閉じるようにした請求項２に記載の衣類乾燥機。
【請求項４】
前記乾燥室を構成するドラムを内部に設けた水槽と、
前記ドラムを回転駆動するモータと、
前記水槽内に洗濯水を給水する給水手段と、
前記水槽内の洗濯水を排水する排水手段と、を備えた請求項１〜３のいずれか１項に記載の衣類乾燥機。
【発明の詳細な説明】
【技術分野】
【０００１】
本発明は、衣類等の乾燥をおこなう衣類乾燥機に関する。
【背景技術】
【０００２】
従来、この種の衣類乾燥機は、ヒートポンプ装置を用いたものが考えられている（例えば、特許文献１参照）。
【０００３】
図８は、特許文献１に記載された従来の衣類乾燥装置を示すものである。図８に示すように、圧縮機５１、凝縮器５２、絞り手段５３および蒸発器５４を冷媒が循環するように管路５５で連結したヒートポンプ装置５６と、乾燥庫５７に乾燥用空気を流す風路５８を有している。風路５８は、乾燥用空気を加熱する凝縮器５２と、乾燥用空気を送風する送風機５９と、衣類等の乾燥対象物を入れた乾燥庫５７と、乾燥用空気を冷却し除湿する蒸発器５４とを連結するように構成されている。
【０００４】
風路５８には、乾燥用空気の一部を放出し、外気を取り入れる熱バランス手段６０を設けている。熱バランス手段６０は、乾燥庫５７から出た乾燥用空気が蒸発器５４に至るまでの風路５８に、排気口６１と開閉ダンパ６２を設け、蒸発器５４を出た乾燥用空気が凝縮器５２に至るまでの風路５８に、吸気口６３と開閉ダンパ６４を設けている。
【０００５】
以上のように構成された衣類乾燥機の動作について説明する。まず、乾燥運転を開始すると、圧縮機５１および送風機５９が作動する。送風機５９によって乾燥用空気が凝縮器５２を通過し、凝縮器５２からの放熱で加熱されて温風となり、乾燥庫５７に送られる。乾燥庫５７内で衣類と接触した乾燥用空気は、衣類から水分を奪って衣類の乾燥を進行させる。
【０００６】
乾燥用空気は、蒸発のための熱量として顕熱をあたえるため温度が低下するが、衣類から放出されたほぼ同等の潜熱を有する水蒸気を含んで高湿の空気となる。衣類と接触する前後の乾燥用空気のエンタルピはほぼ一定である。高湿となって乾燥庫５７から出た乾燥用空気は、風路５８に設けられた熱バランス手段６０を通過し、排気口６１を通してその一部が外部に排気される。排気された風量に応じて、吸気口６３から乾燥用空気よりもエンタルピの小さい外部空気が流入する。凝縮器５２での放熱量の変化や、外部空気の温湿度変化によるエンタルピの大小に応じて、開閉ダンパ６２、６４の開口度合いがコントロールされる。
【０００７】
熱バランス手段６０の排気口６１において外部へ熱量を放出し、風量も減少した乾燥用空気は、さらに蒸発器５４において冷却され、顕熱と潜熱を奪われ結露して除湿される。除湿されて絶対湿度が低下した乾燥用空気は、蒸発器５４の下流において吸気口６３から流入する外部空気と混ざって再び凝縮器５２で加熱される。外部空気は蒸発器５４を通過しないため、蒸発器５４での空気から冷媒に移動する熱量はより少なくなり、熱量放出の効果がさらに高まる。
【０００８】
熱バランス手段６０によって、衣類通過後の乾燥用空気の有する熱量の一部を外部に放出することにより、凝縮器５２から熱を得て高温となった乾燥用空気の一部を、衣類に当てる前に外部に排気することなく、冷媒の温度と圧力の過昇を抑え、圧縮機５１の過負荷を防いで、安全で安定したヒートポンプ装置の運転を可能にしたものである。
【先行技術文献】
【特許文献】
【０００９】
【特許文献１】特開２００４−２３６９６５号公報
【発明の概要】
【発明が解決しようとする課題】
【００１０】
しかしながら、前記従来の構成では、乾燥運転の初期において、特に、外気温度が低い場合は、乾燥用空気温度の立ち上がりが遅く、乾燥時間が長くなるという問題があった。
【００１１】
本発明は、前記従来の課題を解決するもので、乾燥初期において乾燥用空気温度の立ち上がりを良好にし、乾燥性能を向上させた衣類乾燥機を提供することを目的とする。
【課題を解決するための手段】
【００１２】
前記従来の課題を解決するために、本発明の衣類乾燥機は、衣類を収容する乾燥室と、前記乾燥室から排出された乾燥用空気を前記乾燥室へ循環させる空気循環路と、前記空気循環路に送風する送風機と、圧縮機、凝縮器、絞り手段、蒸発器を冷媒が循環する冷媒管で連結したヒートポンプ装置と、前記乾燥室を出た乾燥用空気が前記蒸発器に至るまでの前記空気循環路に設けられ、乾燥用空気の一部を前記空気循環路から排出する排気口と、前記蒸発器を出た乾燥用空気が前記凝縮器に至るまでの前記空気循環路に設けられ、外気を前記空気循環路に導入する吸気口と、前記吸気口を開閉する開閉弁と、前記蒸発器を通過後の乾燥用空気の温度を検知する乾燥用空気温度検知手段と、前記吸気口から吸気する外気温度を検知する外気温度検知手段と、前記開閉弁の駆動を制御する制御手段とを備え、前記制御手段は、乾燥運転初期において、前記外気温度検知手段で検知した外気温度が、前記蒸発器を通過後の乾燥用空気温度より高い場合は、前記開閉弁を開き前記吸気口から前記空気循環路に外気を導入するようにしたものである。
【００１３】
これによって、凝縮器へ導入される乾燥用空気温度を高めることが可能となり、乾燥運転の初期において、乾燥用空気温度の立ち上がりを速くして、乾燥性能を向上させることができる。
【発明の効果】
【００１４】
本発明の衣類乾燥機は、乾燥運転の初期において、乾燥用空気温度の立ち上がりを速くして、乾燥性能を向上させることができる。
【図面の簡単な説明】
【００１５】
【図１】本発明の実施の形態１における衣類乾燥機のシステム系統図
【図２】同衣類乾燥機のブロック図
【図３】同衣類乾燥機の動作を示すフローチャート
【図４】本発明の実施の形態２における衣類乾燥機のシステム系統図
【図５】同衣類乾燥機のブロック図
【図６】同衣類乾燥機の動作を示すフローチャート
【図７】本発明の実施の形態３における衣類乾燥機の要部断面図
【図８】従来の衣類乾燥装置のシステム系統図
【発明を実施するための形態】
【００１６】
第１の発明は、衣類を収容する乾燥室と、前記乾燥室から排出された乾燥用空気を前記乾燥室へ循環させる空気循環路と、前記空気循環路に送風する送風機と、圧縮機、凝縮器、絞り手段、蒸発器を冷媒が循環する冷媒管で連結したヒートポンプ装置と、前記乾燥室を出た乾燥用空気が前記蒸発器に至るまでの前記空気循環路に設けられ、乾燥用空気の一部を前記空気循環路から排出する排気口と、前記蒸発器を出た乾燥用空気が前記凝縮器に至るまでの前記空気循環路に設けられ、外気を前記空気循環路に導入する吸気口と、前記
吸気口を開閉する開閉弁と、前記蒸発器を通過後の乾燥用空気の温度を検知する乾燥用空気温度検知手段と、前記吸気口から吸気する外気温度を検知する外気温度検知手段と、前記開閉弁の駆動を制御する制御手段とを備え、前記制御手段は、乾燥運転初期において、前記外気温度検知手段で検知した外気温度が、前記蒸発器を通過後の乾燥用空気温度より高い場合は、前記開閉弁を開き前記吸気口から前記空気循環路に外気を導入するようにしたものである。
【００１７】
これにより、凝縮器へ導入される乾燥用空気温度を高めることが可能となり、乾燥運転の初期において、乾燥用空気温度の立ち上がりを速くすることができ、乾燥性能を向上させることができる。
【００１８】
上記構成において、前記吸気口は、筐体内に開口した第１の吸気口と、前記第１の吸気口を開閉する第１の開閉弁と、前記第１の吸気口から吸気する外気温度を検知する第１の外気温度検知手段と、筐体外に開口した第２の吸気口と、前記第２の吸気口を開閉する第２の開閉弁と、前記第２の吸気口から吸気する外気温度を検知する第２の外気温度検知手段を設け、前記第１の吸気口からの吸気と前記第２の吸気口からの吸気を切り替え可能に構成してもよい。
【００１９】
これにより、空気循環路への外気の導入に際し、筐体内外の温度の高い方の外気を選択することが可能となり、乾燥運転の初期において、乾燥用空気温度の立ち上がりを速くすることができ、乾燥性能を向上させることができる。
【００２０】
上記構成において、前記乾燥用空気温度検知手段で検知した温度をＫａ、前記第１の外気温度検知手段で検知した温度をＫ１、前記第２の外気温度検知手段で検知した温度をＫ２としたとき、前記制御手段は、「Ｋ１＞Ｋａ＞Ｋ２」、または、「Ｋ１＞Ｋ２＞Ｋａ」の場合は、前記第１の開閉弁を開放し前記第２の開閉弁を閉じるようにしてもよい。
【００２１】
これにより、蒸発器を通過した乾燥用空気へ、それより高い温度の外気を第１の吸気口から吸気し、凝縮器へ導入される乾燥用空気の温度を上昇させることができる。
【００２２】
上記構成において、前記乾燥室を構成するドラムを内部に設けた水槽と、前記ドラムを回転駆動するモータと、前記水槽内に洗濯水を給水する給水手段と、前記水槽内の洗濯水を排水する排水手段と、を備えてもよい。
【００２３】
これにより。乾燥運転に先だって実行する洗濯運転において、洗い、すすぎ、脱水の各工程の運転中に発生するモータの熱などにより、筐体内部の温度が上昇する。この温度が高くなった筐体内部の空気を吸気口から導入することによって、乾燥初期における乾燥用空気温度を迅速に立ち上げることができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における衣類乾燥機のシステム系統図、図２は、同衣類乾燥機のブロック図、図３は、同衣類乾燥機の動作を示すフローチャートである。
【００２６】
図１〜図３において、衣類乾燥機は、冷媒を圧縮する圧縮機１と、圧縮後の高温高圧の冷媒の熱を放熱する凝縮器２と、高圧の冷媒の圧力を減圧するためのキャピラリーチューブからなる絞り手段３と、減圧されて低圧となった冷媒が周囲から熱を奪う蒸発器４を順に接続し、再び圧縮機１に冷媒が循環するように冷媒管５で連結したヒートポンプ装置６
が設けられている。
【００２７】
また、乾燥用空気を送風する送風機７と、衣類等の被乾燥物を入れる乾燥室８と、乾燥用空気から吸熱し冷却除湿する蒸発器４と、冷却除湿された乾燥用空気を加熱する凝縮器２を環状に接続した空気循環路９が設けられている。乾燥用空気は、空気循環路９を矢印Ａで示す方向に流れる。
【００２８】
空気循環路９には、空気循環路９外の空気を取り込む吸気口１０と、空気循環路９を流れる乾燥用空気の一部を空気循環路９から排出する排気口１１が設けられている。吸気口１０は、蒸発器４の下流側で凝縮器２との間に配設され、排気口１１は、乾燥室８の下流側で蒸発器４との間に配設されている。
【００２９】
蒸発器４を通過した乾燥用空気の温度は、乾燥用空気温度検知手段１２で検知する。乾燥用空気温度検知手段１２は、蒸発器４と吸気口１０の間の空気循環路９に設けられており、蒸発器４の下流側近傍に配設し、蒸発器４を通過した直後の乾燥用空気の温度を検知する。
【００３０】
吸気口１０は、筐体１３内に開口し、開閉弁１４を設けて開閉自在に構成している。吸気口１０の近傍には、吸気口１０から吸気される筐体１３内の外気の温度を検知する外気温度検知手段１５が設けられている。乾燥用空気温度検知手段１２および外気温度検知手段１５は、サーミスタ等で構成している。
【００３１】
制御手段１６は、乾燥用空気温度検知手段１２および外気温度検知手段１５の出力が入力され、ヒートポンプ装置６の圧縮機１および送風機７、開閉弁１４等を制御し、乾燥運転を制御する。
【００３２】
以上のように構成された衣類乾燥機について、以下その動作、作用を説明する。まず、乾燥運転を開始すると、開閉弁１４を閉じ、送風機７と圧縮機１が作動する。送風機７によって乾燥用空気が凝縮器２を通過し、凝縮器２からの放熱で加熱され、温風となって乾燥室８に送られる。
【００３３】
乾燥室８内で衣類と接触した乾燥用空気は、衣類から水分を奪って乾燥させ、高湿となった乾燥用空気は、蒸発器４において冷却され、潜熱を奪われ結露して除湿される。除湿されて絶対湿度が低下した乾燥用空気は、再び凝縮器２で加熱され乾燥室８に送風されることで衣類の乾燥が進行する。
【００３４】
ここで、乾燥工程の初期において、乾燥用空気温度検知手段１２で検知した乾燥用空気の温度（Ｋａ）と、外気温度検知手段１５で検知した乾燥用空気の温度（Ｋ１）が制御手段１６に入力され、開閉弁１４の開閉を制御する構成としている。
【００３５】
乾燥用空気温度検知手段１２および外気温度検知手段１５で検知した乾燥用空気の温度が、「Ｋ１＞Ｋａ」の場合は、開閉弁１４を開くことによって、蒸発器４を通過した温度（Ｋａ）の乾燥用空気へ、それより高い温度（Ｋ１）の外気を吸気口１０から吸気し、凝縮器２へ導入される乾燥用空気の温度を上昇させることができる。
【００３６】
また、乾燥用空気温度検知手段１２および外気温度検知手段１５で検知した乾燥用空気の温度が、「Ｋａ＞Ｋ１」の場合は、開閉弁１４を閉じることによって、蒸発器４を通過した温度（Ｋａ）より低い温度（Ｋ１）の外気が、空気循環路９内の導入されることがなく、凝縮器２へ導入される乾燥用空気の温度が低下するのを防止することができる。
【００３７】
以上のように、本実施の形態においては、衣類等の乾燥対象を収容する乾燥室８と、乾燥室８から排出された乾燥用空気を乾燥室８へ循環させる空気循環路９と、空気循環路９に送風する送風機７と、圧縮機１と凝縮器２と絞り手段３と蒸発器４とを冷媒が循環するように冷媒管５で連結したヒートポンプ装置６と、乾燥室８を出た乾燥用空気が蒸発器４に至るまでの空気循環路９に設けられ、乾燥用空気の一部を空気循環路９から排出する排気口１１と、蒸発器４を出た乾燥用空気が凝縮器２に至るまでの空気循環路９に設けられ、外気を空気循環路９に導入する吸気口１０と、吸気口１０を開閉する開閉弁１４と、蒸発器４を通過後の乾燥用空気の温度を検知する乾燥用空気温度検知手段１２と、吸気口１０から吸気する外気温度を検知する外気温度検知手段１５と、開閉弁１４の駆動を制御する制御手段１６とを備え、制御手段１６は、乾燥運転初期において、外気温度検知手段１５で検知した外気温度が、蒸発器４を通過後の乾燥用空気温度より高い場合は、開閉弁１４を開き吸気口１０から空気循環路９に外気を導入するようにしたものであり、凝縮器２へ導入される乾燥用空気温度を、空気循環路９に導入する外気によって高くすることが可能となり、高められた乾燥用空気を凝縮器２によって加熱することで、乾燥初期における乾燥用空気温度の立ち上げを迅速にすることができ、乾燥室８へ導入される乾燥用空気温度を高めて、乾燥性能を向上させることができる。
【００３８】
また、蒸発器４と凝縮器２の間に吸気口１０を設け、蒸発器４手前の上流側に排気口１１を設けることで、開閉弁１４を開いた場合は、開閉弁１４を閉じている場合に比べて、蒸発器４へ導入される乾燥用空気の風量が少なくなるので、蒸発器４で冷却除湿される乾燥用空気の風量も少なくなる。そこへ、温度の高い外気を導入することによって、乾燥用空気温度を効果的に高めることが可能となり、温度が高められた乾燥用空気を凝縮器２へ導入させることができる。
【００３９】
なお、吸気口１０は、筐体１３外から外気を空気循環路９に導入するように構成してもよい。この場合は、外気温度検知手段１５で筐体１３外の温度を検知する。
【００４０】
（実施の形態２）
図４は、本発明の第２の実施の形態における衣類乾燥機のシステム系統図、図５は、同衣類乾燥機のブロック図、図６は、同衣類乾燥機の動作を示すフローチャートである。本実施の形態の特徴は、筐体１３内に開口した第１の吸気口１７からの吸気と、筐体１３外に開口した第２の吸気口１８からの吸気を切り替え可能に構成したものである。他の構成は実施の形態１と同じであり、同一の構成に同一の符号を付して、詳細な説明は実施の形態１のものを援用する。
【００４１】
図４〜図６において、吸気口１０は、筐体１３内に開口した第１の吸気口１７と、筐体１３外に開口した第２の吸気口１８に連通して設けられ、第１の吸気口１７を開閉する第１の開閉弁１９と、第２の吸気口１８を開閉する第２の開閉弁２０が設けられている。
【００４２】
送風機７を駆動させているときに、第１の吸気口１７または第２の吸気口１８の、少なくともいずれか一方を開くことで、排気口１１から乾燥用空気の一部が排気される構成となっている。また、第１の吸気口１７と第２の吸気口１８の両方を閉じているときは、排気口１１から乾燥用空気が排気されないように構成されている。
【００４３】
また、第１の吸気口１７から吸気される外気温度を検知する第１の外気温度検知手段２１が第１の吸気口１７の近傍に設けられ、第２の吸気口１８から吸気される外気温度を検知する第２の外気温度検知手段２２が第２の吸気口１８の近傍に設けられている。
【００４４】
制御手段１６は、圧縮機１、送風機７、第１の開閉弁１９、第２の開閉弁２０等を制御し、乾燥運転を制御する。
【００４５】
以上のように構成された衣類乾燥機について、以下その動作、作用を説明する。乾燥工程の初期において、乾燥用空気温度検知手段１２で検知した乾燥用空気の温度（Ｋａ）、第１の外気温度検知手段２１で検知した乾燥用空気の温度（Ｋ１）、第２の外気温度検知手段２２で検知した乾燥用空気の温度（Ｋ２）が各々制御手段１６に入力され、第１の開閉弁１９および第２の開閉弁２０の開閉を制御する構成としている。
【００４６】
乾燥用空気温度検知手段１２、第１の外気温度検知手段２１、第２の外気温度検知手段２２で検知した温度が、
「Ｋ１＞Ｋａ＞Ｋ２」、または、「Ｋ１＞Ｋ２＞Ｋａ」
の場合は、第１の開閉弁１９を開放し、第２の開閉弁２０を閉じる。第１の開閉弁１９を開くことによって、蒸発器４を通過した温度（Ｋａ）の乾燥用空気へ、それより高い温度（Ｋ１）の外気を第１の吸気口１７から吸気し、凝縮器２へ導入される乾燥用空気の温度を上昇させることができる。
【００４７】
また、乾燥用空気温度検知手段１２、第１の外気温度検知手段２１、第２の外気温度検知手段２２で検知した温度が、
「Ｋ２＞Ｋａ＞Ｋ１」、または、「Ｋ２＞Ｋ１＞Ｋａ」
の場合は、第１の開閉弁１９を閉じ、第２の開閉弁２０を開放する。第２の開閉弁２０を開くことによって、蒸発器４を通過した温度（Ｋａ）の乾燥用空気へ、それより高い温度（Ｋ２）の外気を第２の吸気口１８から吸気し、凝縮器２へ導入される乾燥用空気の温度を上昇させることができる。
【００４８】
また、乾燥用空気温度検知手段１２、第１の外気温度検知手段２１、第２の外気温度検知手段２２で検知した温度が、
「Ｋａ＞Ｋ１＞Ｋ２」、または、「Ｋａ＞Ｋ２＞Ｋ１」
の場合は、第１の開閉弁１９および第２の開閉弁２０を閉じる。第１の開閉弁１９および第２の開閉弁２０の両方を閉じることによって、それより低い温度（Ｋ１、Ｋ２）の外気が導入されることがなく、凝縮器２へ導入される乾燥用空気の温度が低下するのを防止することができる。
【００４９】
以上のように、本実施の形態においては、筐体１３内に開口した第１の吸気口１７と、第１の吸気口１７を開閉する第１の開閉弁１９と、第１の吸気口１７から吸気する外気温度を検知する第１の外気温度検知手段２１と、筐体１３外に開口した第２の吸気口１８と、第２の吸気口１８を開閉する第２の開閉弁２０と、第２の吸気口１８から吸気する外気温度を検知する第２の外気温度検知手段２２を設け、第１の吸気口１７からの吸気と第２の吸気口１８からの吸気を切り替え可能に構成したものであり、空気循環路９への外気の導入に際し、筐体１３内と外の温度の高い方の外気を選択することが可能となり、外気によって効果的に高められた乾燥用空気を凝縮器２により加熱することで、乾燥運転の初期において、乾燥用空気温度の立ち上げを迅速にすることができ、乾燥室８へ導入される乾燥用空気温度を高めて、乾燥性能を向上させることができる。
【００５０】
（実施の形態３）
図７は、本発明の第３の実施の形態における衣類乾燥機の要部断面図である。本実施の形態の特徴は、洗濯機能を備えた衣類乾燥機、所謂、洗濯乾燥機としたものである。
【００５１】
図７において、乾燥室８を構成するドラム３１を有底筒状の水槽３２内に設け、ドラム３１を回転させるモータ３３と、水槽３２内に洗濯水を給水する給水手段３４と、水槽３２内の洗濯水を排水する排水手段３５を設け、制御手段１６によって、洗い、すすぎ、脱水、乾燥の各工程を逐次制御するようにしたものである。制御手段１６は、洗濯運転に続
いて乾燥運転を実行することができるほか、乾燥運転のみを実行することができる。他の構成は実施の形態１と同じであり、同一の構成に同一の符号を付して、詳細な説明は実施の形態１のものを援用する。
【００５２】
洗濯機能を備えた衣類乾燥機とした場合は、乾燥運転に先だって実行する洗濯運転において、洗い、すすぎ、脱水の各工程の運転中に発生するモータ３３の熱などにより、筐体１３内部の温度が上昇する。この温度が高くなった筐体１３内部の空気を吸気口１０から導入することによって、乾燥初期における乾燥用空気温度の立ち上げを迅速にすることができ、乾燥室８へ導入される乾燥用空気温度を高めて、乾燥性能を向上させることができる。
【産業上の利用可能性】
【００５３】
以上のように、本発明にかかる衣類乾燥機は、乾燥運転の初期において、乾燥用空気温度の立ち上がりを速くして、乾燥性能を向上させることができるので、衣類乾燥機として有用である。
【符号の説明】
【００５４】
１  圧縮機
２  凝縮器
３  絞り手段
４  蒸発器
５  冷媒管
６  ヒートポンプ装置
７  送風機
８  乾燥室
９  空気循環路
１０  吸気口
１１  排気口
１２  乾燥用空気温度検知手段
１３  筐体
１４  開閉弁
１５  外気温度検知手段
１６  制御手段
１７  第１の吸気口
１８  第２の吸気口
１９  第１の開閉弁
２０  第２の開閉弁
２１  第１の外気温度検知手段
２２  第２の外気温度検知手段
【図１】
2014161525.tif 000003
【図２】
2014161525.tif 000004
【図３】
2014161525.tif 000005
【図４】
2014161525.tif 000006
【図５】
2014161525.tif 000007
【図６】
2014161525.tif 000008
【図８】
2014161525.tif 000009
【図７】
2014161525.tif 000010